(57)【要約】【課題】プッシュプッシュ操作によってカードの挿入と排出とを行うカードコネクタにおいて、配線基板に実装する場合の基板専有スペースを少なくする。コンタクトを備えるヘッドを小形にして耐熱性樹脂材料の使用量を少なくする。カード排出時のスライダの後退移動速度を調節することができるようにする。【解決手段】カード１００を挿入する筐体１を、板金製のカバー３と半田耐熱性を有する樹脂成形体でなる縦幅の短いヘッド２とにより形成し、ヘッド２にコンタクト４を組み付ける。スライダ５を付勢するカード排出用のばね体６を、スライダ５の下側に配備する。スライダ５の初期位置と押込み位置とを規制するカム機構７のカム溝７１をスライダ５の側面に形成し、カムピン７９をカバーの側板部に設ける。【選択図】        図１
2004349153.tif 000002
【特許請求の範囲】
【請求項１】
カード挿入空間を形成しかつカード挿入空間に挿入されたカードの電極に接触するコンタクトを備えた筐体と、上記カード挿入空間内に前後移動可能に収容されてそのカード挿入空間に挿入されたカードにより初期位置からその前方へ押し込まれるスライダと、このスライダをカード排出方向に向けて常時弾発付勢するばね体と、上記スライダを初期位置に規制する第１ロック手段と、カードの電極が上記コンタクトに接触するカードセット位置に当該カードが挿入されているときにそのカードによって押し込まれた上記スライダの押込み位置を規制する第２ロック手段とを有し、第２ロック手段が、上記スライダに設けられたカム溝の溝壁面によって形成された凹形係止部と上記カム溝に嵌合されてその凹形係止部に係合可能なカムピンとを備えていて、カードに対する１回目の押込み操作によって第２ロック手段によりスライダが押込み位置に規制され、カードに対する２回目の押込み操作によって第２ロック手段による規制が解除されたスライダが上記ばね体の付勢によって初期位置に復帰するようになっているカードコネクタにおいて、
上記筐体が、上板部とその上板部に曲成された左右の側板部とを備えて下面が開放した板金製のカバーとこのカバーの前端部に配備された半田耐熱性を持つ合成樹脂でなるヘッドとを有し、これらのカバーとヘッドとにより囲まれた空間によって、下面が開放した上記カード挿入空間が形成されていると共に、そのカード挿入空間の前部に位置する上記コンタクトが上記ヘッドに備わり、
上記ばね体は、上記スライダの下側に配備されて、その一端が上記カバーの後端部に具備されたばね掛け部に、その他端が上記スライダの下面に設けられたばね掛け部にそれぞれ連結されており、
上記カム溝が上記スライダの側面に形成され、かつ、上記カムピンが上記カバーの側板部に設けられてその全体が上記カム溝に常時嵌合されている突起によって形成されていることを特徴とするカードコネクタ。
【請求項２】
上記カバーの側板部に、そのカバーの上板部に対向する板状の支え片が切起し形成されていて、その支え片と上記上板部との間に上記スライダが前後移動可能及び上下移動可能に保持されていると共に、その支え片と上記上板部とによって上記スライダの上下動範囲が規制されるようになっている請求項１に記載したカードコネクタ。
【請求項３】
上記カバーの後端部に具備されたばね掛け部が、そのカバーの左右の側板部のそれぞれに折曲げ形成された係止片によって形成され、上記スライダが、上記カード挿入空間の略全幅に亘る横幅を備えていて、そのスライダの下面に設けられたばね掛け部が、そのスライダの下面の左右方向中央部に一体成形された係止突起でなり、上記ばね体が、左右の上記係止片のそれぞれと上記係止突起との間に亘って各別に張設された一対のばね部材でなる請求項２に記載したカードコネクタ。
【請求項４】
上記ヘッドが配線基板の板面に載架されるヘッド本体を有し、このヘッド本体に上記コンタクトが組み付けられていると共に、そのコンタクトに具備されて上記配線基板の半田ランドに半田付けされる端子が、上記ヘッド本体の後側に突出して上記カード挿入空間の下面の開放箇所に位置している請求項１ないし請求項３のいずれか１項に記載したカードコネクタ。
【請求項５】
上記スライダに、上記カバーの側板部の内面に弾接して摺動する弾性体が備わっている請求項１ないし請求項４のいずれか１項に記載したカードコネクタ。
【請求項６】
上記弾性体は、上記カバーの側板部の内面に弾接して摺動する箇所が湾曲した板ばねでなり、上記カバーの側板部に、その板ばねを当接させて上記ばね体の付勢によるスライダの後退移動速度を調整する傾斜面が備わり、その傾斜面が、上記側板部を内向きに切り起こして形成された山形部の内面によって形成されている請求項５に記載したカードコネクタ。
【請求項７】
上記第１ロック手段が、上記カム溝の前端部の溝壁面によって形成された前端係止部と上記カムピンとを備えている請求項１ないし請求項６のいずれか１項に記載したカードコネクタ。
【請求項８】
上記カム溝により、上記前端係止部を始点として後方へ直線状に延びる往路と、この往路の終部から上方へ延び出てその終部を上記凹形係止部に連続させる転向路と、上記凹形係止部を始点として延び出し、かつ、上記転向路よりも後位を通過して上記往路に合流する復路とが形成され、かつ、そのカム溝の溝底に、上記カムピンを往路、転向路、復路の順に通過させてその逆行を阻止する段差が備わっていると共に、上記コンタクトが上記カードの電極に下側から弾接するようになっている請求項１ないし請求項７のいずれか１項に記載したカードコネクタ。
【発明の詳細な説明】
【０００１】
【発明の属する技術分野】
本発明は、所謂プッシュプッシュ操作（２段階押込み操作）によってカードの挿入と排出とを行うようになっているカードコネクタ、特に、配線基板の板面に搭載する場合の基板占有スペースが少なくて済むような工夫を講じたカードコネクタに関する。
【０００２】
【従来の技術】
従来、プッシュプッシュ操作によってカードの挿入と排出とを行うようになっているカードコネクタにおいて、カードによって押し込まれたスライダ（カードプッシャ）をコイルばねによってカード排出方向に常時弾発付勢しておくと共に、カードの押込み位置での位置規制をカム溝とそのカム溝に嵌合したカムピンとを有してカード挿入空間の側部に配備されたカム機構によって行い、１回目のカードの押込み操作によって押込み位置に位置規制されたスライダが、２回目のカードの押込み操作によって押込み位置での位置規制を解除された後、コイルばねの付勢によって後退することによりカードを排出するようにしたものが知られていた（たとえば特許文献１参照）。
これに対し、他の従来例として、カード挿入空間の略全幅に亘る横幅を備えた板金製のスライダの下側に配備したコイルばねによってスライダをカード排出方向に付勢し、カード挿入空間を形成しているインシュレータの下板部分にカム機構のカム溝を形成し、そのカム溝に嵌合するカムピンを上記スライダに打抜き形成してスライダの押込み位置を規制するようにしたプッシュプッシュ式カードコネクタがある（たとえば特許文献２参照）。
【０００３】
【特許文献１】
特開２０００−２５１０２４号公報
【特許文献２】
特開２０００−２６０５２４号公報
【０００４】
【発明が解決しようとする課題】
特許文献１に記載された従来例では、コイルばねやカム機構がカード挿入空間の側部に配備されているため、配線基板の板面に搭載する場合に、コイルばねやカム機構の設置部位を配置するスペースが余分に必要になって、それだけ基板占有スペースが拡がり、そのことが配線基板の小形化やセット機器の小形化を阻害する要因になる。これに対し、特許文献２に記載された従来例では、コイルばねやカム機構がスライダの下側に配備されているので、配線基板の板面上でのカードコネクタの基板占有スペースが特許文献１に記載された従来例に比べて少なくて済む。
【０００５】
しかしながら、特許文献２に記載された従来例は、カム機構のカム溝をインシュレータの下板部分に形成してあるので、そのインシュレータをカム溝の長さよりも短くすることができず、そのために、インシュレータをカードの縦幅と同程度の縦幅を有するものとして形成せざるを得ない。また、インシュレータの下板部分に、カード挿入空間に挿入されるカードを案内する機能を具備させてある。
【０００６】
一方、配線基板に実装されるカードコネクタでは、コンタクトに具備されている半田付け用の端子が配線基板の半田ランドに半田付けされ、しかも、その端子はインシュレータに近接して配置されているために、そのインシュレータを半田耐熱性に優れた合成樹脂成形体で形成する必要があって、成形材料として高価な耐熱性に富む樹脂を使用せざるを得ない。
【０００７】
ところが、特許文献２に記載された従来例では、カム機構のカム溝をインシュレータの下板部分に形成していることや、その下板部分にカード案内機能を具備させてあることなどにより、カム溝の長さを短くしてインシュレータを小形化することが困難であって、インシュレータを成形するための耐熱性に富む樹脂材料の使用量が多くなってコストダウンを図りにくいという問題がある。
【０００８】
また、上掲の２つの従来例では、カード排出時にコイルばねの付勢によってスライダが押込み位置から初期位置に復帰するときに、コイルばねの付勢力がそのままスライダに加わるようになっているので、スライダが押込み位置から初期位置まで復帰する際の勢いが非常に大きくなる。そのため、カード排出時にスライダからカードが飛び出すことを防ぐためには、スライダにカードを保持する機能を具備させ、しかも、その保持力を比較的大きく定めておかねばならない。しかし、そのようにすると、カード挿入空間に挿入したカードをスライダに保持させる際の操作性が犠牲になって、カードの挿入操作性が阻害されるという問題がある。
【０００９】
本発明は以上の状況の下でなされたものである。すなわち、カム機構のカム溝の形成箇所をスライダの側面に定め、かつ、スライダを初期位置に復帰させるためのばね体をスライダの下側に配備することにより、上記したインシュレータに相当する部分を小形化されたヘッドにより形成し、そのヘッドを半田耐熱性に富む樹脂材料の成形体で形成するようにして高価の樹脂材料の必要量を少なくし、併せて、配線基板に搭載する際の基板占有スペースが少なくて済むカードコネクタを提供することを目的とする。
【００１０】
また、本発明は、ヘッドを上記のように小形化しても、カード挿入空間内でのスライダの前後移動が円滑に行われるカードコネクタを提供することを目的とする。
【００１１】
さらに、本発明は、カード排出時にばね体の付勢力で押込み位置から初期位置に復帰するスライダの後退移動速度を、簡易な構造で調節することができるようにして、カード挿抜時の操作性を改善することのできるカードコネクタを提供することを目的とする。
【００１２】
さらに、本発明は、カード挿入空間に挿入されたカードの電極が上記ヘッドに具備されたコンタクトに無理なく確実に接触するようにして両者の接触信頼性を高めることのできるカードコネクタを提供することを目的とする。
【００１３】
【課題を解決するための手段】
本発明に係るカードコネクタは、カード挿入空間を形成しかつカード挿入空間に挿入されたカードの電極に接触するコンタクトを備えた筐体と、上記カード挿入空間内に前後移動可能に収容されてそのカード挿入空間に挿入されたカードにより初期位置からその前方へ押し込まれるスライダと、このスライダをカード排出方向に向けて常時弾発付勢するばね体と、上記スライダを初期位置に規制する第１ロック手段と、カードの電極が上記コンタクトに接触するカードセット位置に当該カードが挿入されているときにそのカードによって押し込まれた上記スライダの押込み位置を規制する第２ロック手段とを有している。また、第２ロック手段が、上記スライダに設けられたカム溝の溝壁面によって形成された凹形係止部と上記カム溝に嵌合されてその凹形係止部に係合可能なカムピンとを備えていて、カードに対する１回目の押込み操作によって第２ロック手段によりスライダが押込み位置に規制され、カードに対する２回目の押込み操作によって第２ロック手段による規制が解除されたスライダが上記ばね体の付勢によって初期位置に復帰するようになっている。
【００１４】
そして、上記筐体が、上板部とその上板部に曲成された左右の側板部とを備えて下面が開放した板金製のカバーとこのカバーの前端部に配備された半田耐熱性を持つ合成樹脂でなるヘッドとを有し、これらのカバーとヘッドとにより囲まれた空間によって、下面が開放した上記カード挿入空間が形成されていると共に、そのカード挿入空間の前部に位置する上記コンタクトが上記ヘッドに備わっているす。さらに、上記ばね体は、上記スライダの下側に配備されて、その一端が上記カバーの後端部に具備されたばね掛け部に、その他端が上記スライダの下面に設けられたばね掛け部にそれぞれ連結されており、上記カム溝が上記スライダの側面に形成され、かつ、上記カムピンが上記カバーの側板部に設けられてその全体が上記カム溝に常時嵌合されている突起によって形成されている。
【００１５】
以上の構成であると、プッシュプッシュ操作によってカードの挿入と排出とが行われるカードコネクタでありながら、コンタクトを備えたヘッドが小形化されてその縦幅が短くなるので、半田耐熱性に富む高価な樹脂材料の使用量を少なくしてコストダウンを図りやすくなる。また、スライダを初期位置に向けて付勢するカード排出用の上記ばね体が、スライダの下側に配備されており、併せて、カム機構がスライダの側面に形成されたカム溝と板金製のカバーの側板部に設けられた突起でなるカムピンとによって形成されていて、カムピンを形成している突起の全体がカム溝に常時嵌合されるようになっているので、当該カードコネクタを配線基板に搭載する場合に、ばね体やカム機構の設置部位を配置するスペースが余分に必要になるという事態が起こらなくなって基板占有スペースが少なくて済む。
【００１６】
本発明では、上記カバーの側板部に、そのカバーの上板部に対向する板状の支え片が切起し形成されていて、その支え片と上記上板部との間に上記スライダが前後移動可能及び上下移動可能に保持されていると共に、その支え片と上記上板部とによって上記スライダの上下動範囲が規制されるようになっていることが望ましい。この構成であれば、ヘッドを上記のように小形化されているとしても、カバーの上板部と支え片との間でスライダが前後移動するので、部品を追加することなくスライダの前後移動が円滑に行われるようになる。その上、スライダは、上板部と支え片との間で上下移動可能に保持されているので、スライダ側のカム溝に嵌合しているカバー側のカムピンによりそのスライダを上下方向に案内させることができるようになり、このことを利用して、カード側の電極をコンタクトセット位置でコンクトに上方から下降させて弾接させることができるようになる。そのため、カード挿入空間に挿入したカードの前端がコンタクトに突き合ったりしてコンタクトが損傷するというような事態を防ぐことが可能になる。
【００１７】
本発明では、上記カバーの後端部に具備されたばね掛け部が、そのカバーの左右の側板部のそれぞれに折曲げ形成された係止片によって形成され、上記スライダが、上記カード挿入空間の略全幅に亘る横幅を備えていて、そのスライダの下面に設けられたばね掛け部が、そのスライダの下面の左右方向中央部に一体成形された係止突起でなり、上記ばね体が、左右の上記係止片のそれぞれと上記係止突起との間に亘って各別に張設された一対のばね部材でなることが望ましい。これによれば、上記のようにスライダがカバーの上板部と支え片との間で前後移動可能及び上下移動可能に保持されてある程度の遊びが形成されているとしても、一対のばね部材によってスライダに加えられる力を左右でバランスさせやすくなり、そのために、スライダを正確にカード排出方向に付勢することが容易に可能になる。また、ばね体を一対のばね部材で形成したことにより、それぞれのばね部材をコイルばねで形成する場合には、それらのコイルばねの径を小さくしてそれらの占有スペースを少なくすることができる。その結果、ばね体をスライダの下側に配備しても、当該カードコネクタの厚さがそれほど厚くならないという利点がある。
【００１８】
本発明では、上記ヘッドが配線基板の板面に載架されるヘッド本体を有し、このヘッド本体に上記コンタクトが組み付けられていると共に、そのコンタクトに具備されて上記配線基板の半田ランドに半田付けされる端子が、上記ヘッド本体の後側に突出して上記カード挿入空間の下面の開放箇所に位置していることが望ましい。これによれば、コンタクトの端子がヘッドの外側に突出しないので、その端子によって基板占有スペースが拡がるということがない。
【００１９】
本発明では、上記スライダに、上記カバーの側板部の内面に弾接して摺動する弾性体が備わっていることが望ましい。これによれば、ばね体によってスライダに加えられている付勢力が、カバーの側板部の内面に弾接する弾性体によって軽減されので、その付勢力がそのままスライダに加わることがない。そのため、カード排出時にばね体の付勢力で押込み位置から初期位置に復帰するスライダの後退移動速度を調節することが可能になる。そのため、スライダによるカード保持力を小さくしても、カード排出時にカードが飛び出したりすることがなくなり、併せて、カードの挿抜時の操作性が改善される。
【００２０】
本発明において、上記弾性体は、上記カバーの側板部の内面に弾接して摺動する箇所が湾曲した板ばねでなり、上記カバーの側板部に、その板ばねを当接させて上記ばね体の付勢によるスライダの後退移動速度を調整する傾斜面が備わり、その傾斜面が、上記側板部を内向きに切り起こして形成された山形部の内面によって形成されている、という構成を採用することができる。これによれば、板ばねの湾曲箇所が、山形部の内面によって形成されている傾斜面に当たることによって、ばね体によるスライダの付勢力が無理なく減じられるため、カード排出時にばね体の付勢力で押込み位置から初期位置に復帰するスライダの後退移動速度の調節が容易に可能になる。
【００２１】
本発明では、上記第１ロック手段が、上記カム溝の前端部の溝壁面によって形成された前端係止部と上記カムピンとを備えている、という構成を採用することができ、これによれば、カム機構を活用して第１ロック手段を形成することができるので、第１ロック手段を構成するための余分な部品を用いる必要がない。
【００２２】
本発明では、上記カム溝により、上記前端係止部を始点として後方へ直線状に延びる往路と、この往路の終部から上方へ延び出てその終部を上記凹形係止部に連続させる転向路と、上記凹形係止部を始点として延び出し、かつ、上記転向路よりも後位を通過して上記往路に合流する復路とが形成され、かつ、そのカム溝の溝底に、上記カムピンを往路、転向路、復路の順に通過させてその逆行を阻止する段差が備わっていると共に、上記コンタクトが上記カードの電極に下側から弾接するようになっていることが望ましい。これによれば、カード側の電極がコンタクトセット位置でコンクトに上方から下降して弾接するようになって接触信頼性が向上する。
【００２３】
【発明の実施の形態】
図１はカード未挿入状態での本発明に係るカードコネクタの概略縦断側面図、図２はカード挿入状態での同カードコネクタの概略縦断側面図、図３は図１の状態での概略底面図、図４は図２の状態での概略底面図、図５はスライダ５の概略斜視図、図６（Ａ）はカム溝形状の説明図、同（Ｂ）はカム溝７１の底面形状の説明図、図７はカバー３の要部の概略斜視図、図８（Ａ）は第２ロック手段の説明図、同（Ｂ）は第１ロック手段の説明図、図９はカード保持ばねの作用説明図、図１０は板ばね５８の作用を説明するための横断面図である。
【００２４】
図１〜図４において、カードコネクタの筐体１は、合成樹脂成形体でなる半田耐熱性を備えたヘッド２と板金製のカバー３とによって偏平な矩形箱形に形作られていて、ヘッド２とカバー３とにより囲まれた空間によってカード挿入空間Ｓが形成されている
【００２５】
ヘッド２は、多数の縦長スリット状の開口２２を備えた横長のヘッド本体２１とそのヘッド本体２１の前端部に立ち上げられた前壁２３とを有している。そして、ヘッド本体２の後端部の複数箇所に薄肉のばね板でなるコンタクト４が組み付けられていて、それらのコンタクト４のそれぞれの先端部が、個々の開口２２に各別に対応してそれらの開口２２の開設箇所の上方へ延び出ていると共に、それぞれのコンタクト４に備わっている半田付け用の端子４１が、ヘッド本体２１の後側に突出して、後述するカード挿入空間Ｓの下面の開放箇所に位置している。
【００２６】
これに対し、板金製のカバー３は、上板部３１とその上板部３１に曲成された左右の側板部３２，３２とを備えていて、その下面は開放している。そして、上板部２１と左右の側板部３２，３２の前端が、ヘッド２の前壁２３の上端縁と左右の側端縁とに突き当てられた状態でヘッド２に結合されている。カバー３とヘッド２との結合は、係合爪と係合孔との係合や接着剤による接合などの公知の手段で行い得る。
【００２７】
このように構成された筐体１において、ヘッド２はカバーの前端部だけに配備されていて、ヘッド２の後方ではカード挿入空間Ｓの下面が開放している。また、ヘッド２の縦幅（前後幅）は、コンタクト４の長さに見合う短い長さに定められているため、そのヘッド２を成形するための樹脂材料の使用量は少ない。このことから、ヘッド２が高価な半田耐熱性に富む樹脂材料で成形されるとしても、冒頭で説明した特許文献１や同文献２に見られるような縦幅の長いインシュレータを半田耐熱性に富む樹脂材料で成形する場合に比べて価格が安くつき、そのことが、当該カードコネクタのコストダウンを図る上で顕著に役立っている。
【００２８】
筐体１のカード挿入空間Ｓに、合成樹脂成形体でなるスライダ５が前後移動可能に収容されている。図５に示したように、スライダ５は、後端側が開放した中空の箱形に形成されていて、その下板部５１が前端部分で欠除されてその欠除箇所が横長開口５２とされていると共に、上板部５３は中央部分が矩形に欠除されてその欠除箇所が大きな矩形開口５４とされている。図３又は図４のように、このスライダ５はカード挿入空間Ｓの略全幅に亘る横幅を備えていて、スライダ５とカバー３の左右の側板部３２，３２との間にはわずかな隙間が存在しているだけである。そのため、スライダ５は、前後移動するときに大きく横振れするような事態は起こらない。このスライダ５において、左右の側板部５５，５５の間の空間は後述するカード１００が挿入される空間Ｓ１であり、その空間Ｓ１の左右両側には、左右の側板部５５，５５に組み付けられた板ばね５６の湾曲した自由端部５７が張り出している。そのため、この空間Ｓ１に挿入されたカード１００には、図９のように板ばね５６の自由端部５７が弾接する。ここで、板ばね５６は左右に設けられているため、空間Ｓ１に挿入されたカード１００が左右両側から板ばね５６によって挟み付けられ、その挟圧力に見合う力でスライダ５に保持される。また、左右の側板部５５，５５のそれぞれには、自由端部が外向きに張り出す湾曲部５９として形成された金属製の板ばね５８が組み付けられていて、それらの板ばね５８の湾曲部５９が、図３又は図４などに示したカバー３の左右の側板部３２，３２の内面にそれぞれ常時弾接するようになっている。また、左右の板ばね５８がカバー３の左右の側板部３２，３２にそれぞれ弾接していることにより、スライダ５が左右の側板部３２，３２のいずれかの側に偏ることが防止されている。この板ばね５８は、カバーの側板部の内面に弾接して摺動する弾性体の一例であり、この弾性体としては、金属製の板ばね５８の代わりに、合成樹脂製のスライダ５と一体成形した樹脂製のばね片を用いてもよい。
【００２９】
図１〜図４のように、スライダ５の下側にばね体６が配備されている。このばね体６は、スライダ５をカード排出方向に向けて常時弾発付勢するために設けられているもので、図例ではこのばね体６を一対のコイルばね６１，６１によって形成している。すなわち、図１〜図４又は図７に示したように、カバー３の左右の側板部３２，３２のそれぞれの後端部には、それらの側板部３２，３２の下端に折曲げ形成された係止片３３がばね掛け部として備わっているのに対し、スライダ５の下面の左右方向中央部にはスライダ５と一体に形成された下向きの係止突起５ａがばね掛け部として備わっていて、一対のコイルばね６１，６１が、左右の係止片３３，３３と係止突起５ａとの間に亘って左右対象な後拡がり状態に張設されている。具体的には、一対のコイルばね６１，６１の一端が、左右の上記係止片３３，３３に各別に連結され、かつ、それらのコイルばね６１，６１の他端が上記係止突起５ａに連結されている。こうしておくと、一対のコイルばね６１，６１によってスライダ５に加わる付勢力が左右でバランスするので、スライダ５の前後移動が円滑に行われる。また、ばね体６を１本のコイルばねでなく、一対で１組となる２本のコイルばね６１，６１に分割してあることにより、それぞれのコイルばね６１を形成している線材の線径やコイル部の径を細くしても十分に大きな付勢力をスライダ５に加えられるようになる。その結果、一対のコイルばね６１，６１のコイル部の径を小さくして当該カードコネクタの厚さ方向でのばね体６の占有スペースを少なくすることが可能になって、当該カードコネクタの厚さが厚くなることを最少限度にとどめることができる。なお、図示例の一対のコイルばね６１，６１を１本のコイルばねに置き換えることも可能であり、その場合には、１本のコイルばねのコイル部を長手方向中央部で分割し、その分割箇所の線材を上記係止突起５ａに引っかけて連結するようにすることが可能である。また、一対のコイルばね６１，６１をシリコン樹脂製の輪ゴムなどによって置き換えることも可能であり、そのようにすると、当該カードコネクタの厚さの増加をさらに小さくとどめることが可能になって、当該カードコネクタを薄形化しやすくなる。
【００３０】
図１〜図４又は図７のように、カバー３の左右の側板部３２，３２のそれぞれには、当該カバー３の上板部３１に対向する板状の支え片３５が直角内向きに切起し形成されていて、それら左右の支え片３５，３５と上板部３１との間に上記スライダ５が保持されている。ここで、図１又は図２に示したように、支え片３５，３５と上板部３１との垂直間隔は、スライダ５の厚さよりもやゝ広くなっていて、支え片３５，３５と上板部３１との間でスライダ５が前後移動可能及び上下移動可能に保持されている。しかも、支え片３５，３５と上板部３１とによってスライダ５の上下動範囲が規制されるようになっている。なお、スライダ５の上下動範囲は、後述するカム機構７の作用によって定まる。
【００３１】
さらに、図７のように、カバー３の側板部３２には、内向きに切り起こされた山形部３６が備わっていて、その山形部３６の前側の傾斜面３７に上記した弾性体としてのばね体５８の湾曲部５９が当接するようになっている。
【００３２】
このカードコネクタは、カム溝７１とカムピン７９とによって形成されるカム機構７を備えていて、カム溝７１，７１がスライダ５の左右の側面にそれぞれ形成され、カムピン７９が、カバー３の左右の側板部３２，３２にそれぞれ設けられている。図６（Ａ）のように、カム溝７１は、スライダ５の側面の前端近傍箇所に定められた後述する前端係止部７２から後方へ直線状に延びる往路ａと、この往路ａの終部ａ’から湾曲状に上方へ延び出てその終部ａ’を後述する凹形係止部７３に連続させる転向路ｂと、凹形係止部７３を始点として後方へ延び出し、かつ、上記転向路ｂよりも後位を通過して上記往路ａにその下側から合流する復路ｃ，ｄとを形成していて、カム溝７１の溝底には、図６（Ａ）又は同（Ｂ）のように、上記カムピン７９を往路ａ、転向路ｂ、復路ｃ，ｄの順に通過させてその逆行を阻止する段差７４，７５，７６が備わっている。図６（Ａ）には矢印でカムピン７９の移動方向を示している。また、カム溝７１の深さは、その最も浅い箇所であっても、カムピン７９の全体が嵌合し得る深さを有していて、カムピン７９はその全体が常時カム溝７１に嵌合するようになっている。このように、スライダ５の側面に具備させたカム溝７１に、カバー３の側板３２に内向きに突出させたカムピン７９の全体が常時嵌合しているカム機構７を採用したことによって、当該カードコネクタの横幅がカバー３の横幅に一致するようになるので、カム機構７を設けたことによって当該カードコネクタの横幅が増加するようなことはない。
【００３３】
以上の構成を備えているカードコネクタにおいて、カード１００が挿入されていないときには、スライダ５がばね体６によって後方に引張られているので、図８（Ｂ）のように、カバー５側の突起でなるカムピン７９が、カム溝７１の前端部の溝壁面でなる前端係止部７２を係止してスライダ５を図１（Ａ）に示した初期位置に位置規制している。したがって、カム溝７１の前端係止部７２とその前端係止部７２を係止しているカムピン７９とが、スライダ５を初期位置に規制する第１ロック手段を構成している。
【００３４】
カード１００を筐体１のカード挿入空間Ｓに挿入すると、そのカード１００が初期位置で待機しているスライダ５の空間Ｓ１に挿入されて、そのカード１００の前端がスライダ５に具備されている前壁部５ｂに突き当たる。このため、１回目のプッシュ操作によってカード１００をさらに挿入すると、スライダ５が、ばね体６の付勢に抗し、初期位置から図２矢印Ｐのように前方へ押し込まれる。このようなスライダ５の前進移動によって、カムピン７９はカム溝７１の往路ａを移動して湾曲して後方へ迫り出している転向路ｂの最も後方位置に達するので、それを越えてカード１００を押し込むことはできなくなる。この時点で、カード１００を押す力を緩めて押込み力を解除すると、ばね体６の付勢によってスライダ５が後退するので、図８（Ａ）のように、カム溝７１の転向路ｂの終端に位置する溝壁面によって形成されている凹形係止部７３にカムピン７９が係合し、この係合によって、スライダ５が押込み位置に位置規制される。また、カムピン７９がカム溝７１の転向路ｂの始点から凹形係止部７３に係合するまでの段階で、スライダ５が、図８（Ｂ）に示した初期位置での高さ（初期高さ）よりも同図（Ａ）に符号Ｈで示した幅だけ下降する。このときの下降幅Ｈは、カム溝７１の往路ａの位置と凹形係止部７３の位置との中心間隔に相当している。このようなスライダ５の下降動作により、カード１００の前端下面に形成されている電極１１０が、コンタクト４の先端の上方位置から下降するので、カード挿入空間Ｓ内の下位に位置しているコンタクト４が、スライダ５の横長開口５２を経てカード１００の電極１１０に下側から弾接する。したがって、カード１００の前端がコンタクト４に突き当たってコンタクト４を損傷させたりすることがなくなって、コンタクト４とカード１００の電極１１０との接触信頼性が向上する。なお、上記したカバー３の上板部３１と支え片３５とによって規制されるスライダ５の上下動範囲は、少なくとも上記架構幅Ｈよりも小さくない範囲に定められている。
【００３５】
次に、２回目のプッシュ操作を行ってスライダ５を少し押し込むと、カムピン７９が凹形係止部７３から離れてスライダ５の押込み位置での位置規制が解除される。また、この２回目のプッシュ操作によって、カムピン７９が復路ｃを通過して復路ｄに入るので、その時点でプッシュ操作を解除すると、スライダ５がばね体６の付勢によって後退し、それに伴ってカムピン７９が復路ｄを通過して前端係止部７２に係合する。これによって、スライダ５が初期位置に復帰し、カード１００がスライダ５に保持されたまま排出される。
【００３６】
スライダ５がばね体６の付勢によって後退するときには、カバー５の側板部３２の内面にスライダ５側の弾性体としての板ばね５８が弾接しており、しかも、スライダ５が初期位置に到達するときには、その板ばね５８が図１０のようにカバー３側の傾斜面３７に乗り上がった状態で弾接する。そのため、ばね体６によってスライダ５に加えられている付勢力が、板ばね５８とカバー３の側板部３２又は傾斜面３７との弾接によって軽減されるようになり、ばね体６の付勢力がそのままスライダ５に加わることはない。その結果、板ばね５８のばね定数を適切に選定することによって、カード排出時にばね体６の付勢力で押込み位置から初期位置に復帰するスライダ５の後退移動速度を容易に調節することが可能になり、そのような調節を行うことによって、初期位置に復帰したスライダ５からカードが飛び出したりするようなことを無くすることが可能である。この作用は、特に、板ばね５８とカバー３の傾斜面３７とを弾接させるようにしたことにより顕著に発揮される。
【００３７】
ところで、この実施形態では、スライダ５を初期位置に向けて付勢するカード排出用のばね体６が、スライダの下側に配備されており、併せて、カム機構７がスライダ５の側面に形成されたカム溝７１と板金製のカバー３の側板部３２に設けられた突起でなるカムピン７９とによって形成されていて、カムピン７２を形成している突起の全体がカム溝７１に常時嵌合されるようになっており、さらに、コンタクト４の端子４１がヘッド２の後方に突き出ているので、当該カードコネクタを図１（Ａ）（Ｂ）のように配線基板２００に搭載した場合に、ばね体６やカム機構７、端子４１の設置部位を配置するスペースが余分に必要になるという事態が起こらなくなって基板占有スペースが少なくて済む。
【００３８】
また、カバー３の上板部３１と支え片３５との間でスライダ５が前後移動するので、ヘッド２の縦幅を長くしなくても、スライダ５の前後移動が円滑に行われる。
【００３９】
【発明の効果】
以上のように、本発明によれば、カム機構のカム溝の形成箇所をスライダの側面に定め、かつ、スライダを初期位置に復帰させるためのばね体をスライダの下側に配備したので、配線基板に実装する場合の当該カードコネクタの基板専有スペースが少なくて済む。しかも、カバーにスライダの前後移動を案内する作用を担わせ、コンタクトを縦幅の短い小形のヘッドに組み付け、かつ、そのヘッドからスライダの前後移動を案内する作用を排除したので、ヘッドを半田耐熱性に富む樹脂材料の成形体で形成しても高価な樹脂材料の必要量が少なくなって、カードコネクタを安価に提供することができるようになる。また、カード排出時にばね体の付勢力で押込み位置から初期位置に復帰するスライダの後退移動速度を簡易な構造で調節することができるようになるので、カード排出時にカードが筐体から飛び出すという事態が防止される。さらに、カードの電極がコンタクトに無理なく確実に接触するようになってその接触信頼性を高めることが容易である。
【図面の簡単な説明】
【図１】カード未挿入状態での本発明に係るカードコネクタの概略縦断側面図である。
【図２】カード挿入状態でのカードコネクタの概略縦断側面図である。
【図３】図１の状態での概略底面図である。
【図４】図２の状態での概略底面図である。
【図５】スライダの概略斜視図である。
【図６】（Ａ）はカム溝形状の説明図、（Ｂ）はカム溝の底面形状の説明図である。
【図７】カバーの要部の概略斜視図である。
【図８】（Ａ）は第２ロック手段の説明図、（Ｂ）は第１ロック手段の説明図である。
【図９】カード保持ばねの作用説明図である。
【図１０】板ばねの作用を説明するための横断面図である。
【符号の説明】
１  筐体
２  ヘッド
３  カバー
４  コンタクト
５  スライダ
５ａ  係止突起（ばね掛け部）
６  ばね体
２１  ヘッド本体
３１  上板部
３２  側板部
３３  係止片（ばね掛け部）
３５  支え片
３６  山形部
３７  傾斜面
４１  端子
５８  板ばね（弾性体）
６１  コイルばね（ばね部材）
７１  カム溝
７２  前端係止部
７３  凹形係止部
７４，７５，７６  段差
７９  カムピン
２００  配線基板
１００  カード
１１０  カードの電極
Ｓ  カード挿入空間
ａ  往路
ｂ  転向路
ｃ，ｄ  復路
【図１】
2004349153.tif 000003
【図２】
2004349153.tif 000004
【図３】
2004349153.tif 000005
【図４】
2004349153.tif 000006
【図５】
2004349153.tif 000007
【図６】
2004349153.tif 000008
【図７】
2004349153.tif 000009
【図８】
2004349153.tif 000010
【図９】
2004349153.tif 000011
【図１０】
2004349153.tif 000012